(57)【特許請求の範囲】
【請求項１】
撮影レンズ光学系と絞りと撮像素子を有し、
前記撮像素子が画像信号を取得することで撮影画像データを取得する撮像装置において、
第１記憶手段と、第１計算手段と、補正手段と、第２記憶手段と、制御手段と
を有し、
前記第１記憶手段は、撮影画像データの信号値のむらを補正するための補正項を、撮影条件に対応する補間計算に適するパラメータ及び撮影条件に対応し記憶に適するパラメータから前記制御手段によって計算される補間計算に適するパラメータに対応させて記憶し、
前記第２記憶手段は、撮影条件に対応する記憶に適する複数のパラメータを記憶し、
前記制御手段は、実際に撮影した際の撮影条件に対応する記憶に適する複数のパラメータから、補間計算に適する複数のパラメータの一部を計算し、
前記第１計算手段は、前記第１記憶手段に記憶されている補正項のうち、前記制御手段が計算したものを含め、撮影画像データを取得した際の前記撮影条件に対応する、補間計算に適する複数のパラメータと、近い補間計算に適する複数のパラメータに対応する補正項を用いて撮影画像データの補正項を補間計算し、
前記補正手段は、前記第１計算手段が計算した撮影画像データの補正項を用いて、撮影画像データの信号値のむらを補正する
ことを特徴とする撮像装置。
【請求項２】
撮影レンズ光学系と絞りと撮像素子を有し、
前記撮像素子が画像信号を取得することで撮影画像データを取得する撮像装置において、
第１記憶手段と、第１計算手段と、補正手段と、第２記憶手段と、制御手段と
を有し、
前記第１記憶手段は、撮影画像データの信号値のむらを補正するための補正項を、撮影条件に対応する補間計算に適するパラメータ及び撮影条件に対応し記憶に適するパラメータから前記制御手段によって計算される補間計算に適するパラメータに対応させて記憶し、
前記第２記憶手段は、撮影条件の光線角度、撮影レンズの種類、ズームポジション、合焦位置、絞り径に関するパラメータ、コンバータの有無及び種類、フィルタの有無及び種類、色収差、像面湾曲、歪曲収差、レンズシフト方式手振れ補正レンズのシフト量、センサシフト方式手振れ補正センサのシフト量、ティルト・シフトレンズのティルト・シフト量、ソフトフォーカスレンズのソフト量、光源の種類、撮影レンズの透過率、撮影レンズのコーティング、センサの温度、露光時間のうち、少なくとも２つ以上の項目に対応し記憶に適する複数のパラメータを記憶し、
前記制御手段は、実際に撮影した際の撮影条件の光線角度、撮影レンズの種類、ズームポジション、合焦位置、絞り径に関するパラメータ、コンバータの有無及び種類、フィルタの有無及び種類、色収差、像面湾曲、歪曲収差、レンズシフト方式手振れ補正レンズのシフト量、センサシフト方式手振れ補正センサのシフト量、ティルト・シフトレンズのティルト・シフト量、ソフトフォーカスレンズのソフト量、光源の種類、撮影レンズの透過率、撮影レンズのコーティング、センサの温度、露光時間のうち、少なくとも２つ以上の項目に対応し記憶に適する複数のパラメータから、補間計算に適する複数のパラメータの一部を計算し、
前記第１計算手段は、前記第１記憶手段に記憶されている補正項のうち、前記制御手段が計算したものを含め、撮影画像データを取得した際の前記撮影条件に対応する、補間計算に適する複数のパラメータと、近い補間計算に適する複数のパラメータに対応する補正項を用いて撮影画像データの補正項を補間計算し、
前記補正手段は、前記第１計算手段が計算した撮影画像データの補正項を用いて、撮影画像データの信号値のむらを補正する
ことを特徴とする撮像装置。
【請求項３】
前記第２記憶手段は前記撮影条件に対応する絞り中心光線角及び絞り周辺光線角をあらかじめ記憶し、
前記第１記憶手段は、補正項を光束中心光線角と絞り径に関するパラメータとに対応させて記憶し、
前記制御手段は、実際に撮影した際の絞り中心光線角及び絞り周辺光線角と、絞り径に関するパラメータから、光束中心光線角を計算し、
前記第１計算手段は、前記第１記憶手段に記憶されている補正項のうち、撮影画像データを取得した際の前記撮影条件に対応する、絞り径に関するパラメータ及び前記制御手段が計算した光束中心光線角と近い絞り径に関するパラメータ及び光束中心光線角に対応する補正項を用いて撮影画像データの補正項を補間計算する
ことを特徴とする請求項１又は請求項２に記載の撮像装置。
【請求項４】
第２計算手段を有し、
前記第２計算手段は、基準となる被写体を撮影することで取得した調整画像データから、
撮影画像データの信号値の比を補正する為の補正項を計算する
ことを特徴とする請求項１乃至請求項３のいずれかに記載の撮像装置。
【請求項５】
前記第２計算手段は、基準となる被写体を撮影することで取得した調整画像データを複数のブロックに分割し、ブロック毎のゲインを計算し、前記ブロック毎のゲインの集合である補正項を予め計算し、
前記第１記憶手段は、前記第２計算手段が計算したブロック毎のゲインの集合である補正項を、調整画像データを取得した際の前記撮影条件に対応する、補間計算に適するパラメータ、及び前記撮影条件に対応する記憶に適する複数のパラメータから前記制御手段によって計算される補間計算に適するパラメータに対応させて記憶する
ことを特徴とする請求項４に記載の撮像装置。
【請求項６】
前記基準となる被写体は、輝度及び色が均一な面である
ことを特徴とする請求項４又は請求項５に記載の撮像装置
【請求項７】
前記第１計算手段は、撮像素子の特性に起因する撮像面の受光特性の非均一性についての補正項を計算し、
前記補正手段は、前記第１計算手段が算出した撮像素子の特性に起因する撮像面の受光特性の非均一性についての補正項を用いて補正を行う
ことを特徴とする請求項１乃至請求項６のいずれか一項に記載の撮像装置。
【請求項８】
装着するレンズ光学系の交換が可能な撮像装置であり、
前記第１記憶手段が前記撮像装置内に配置されていること
を特徴とする請求項１乃至請求項７のいずれか一項に記載の撮像装置。
【請求項９】
装着するレンズ光学系の交換が可能な撮像装置であり、
前記第１記憶手段が装着するレンズ内に配置されていること
を特徴とする請求項１乃至請求項７のいずれか一項に記載の撮像装置。
【発明の詳細な説明】
【技術分野】
【０００１】
本発明は、画像データ補正処理を行う撮像装置に関するものである。
【背景技術】
【０００２】
一般的な撮像装置に於いて、レンズなどの光学系の特性による撮像面へ入射する光量の非均一性を別として、撮像装置を構成する画素の非均一性、画素と対応するマイクロレンズの位相ずれ、フィルタの染色むらなどに起因し、撮像面の受光特性に非均一性が生じることがある。これにより発生する、輝度シェーディングまたは色シェーディングが問題となっている。
【０００３】
撮像装置の上記シェーディングを補正する方法として、予め輝度及び色が均一な面を撮影することで得られる画像データを複数のブロックに区切り、各ブロックでゲインを求め、撮影のとき、前述のゲインを用いて画像データを補正する方法が知られている。
【０００４】
また、撮影条件（ズーム倍率、絞り径など）の変化に伴い、複数用意されたゲインから最適なものを選択する方法が知られている。
【先行技術文献】
【特許文献】
【０００５】
【特許文献１】特許第４５７９５７０号公報
【０００６】
【特許文献２】特開２００８−５３９３１号公報
【０００７】
【特許文献３】特開２００８−１０９２７８号公報
【発明の概要】
【発明が解決しようとする課題】
【０００８】
しかしながら、前記撮像装置において想定される撮影条件が多岐に及び、それに付随して最適な補正項も大きく変化するような場合、全ての可能性に対して前記補正項を用意するならば、補正値を保持する為の記憶容量が膨大になり、また前記補正項を得る為の調整工程が煩雑になる。
【０００９】
本発明では、想定される撮影条件での撮像素子に対する光線の入射角度などのシェーディングと相関性を持つパラメータを計算する手段を備え、実際の撮影時の撮影条件での光線の入射角度などのパラメータから最適な補正項を補間計算する事で、最適なシェーディング補正を行う撮像装置を提供することを目的とする。
【課題を解決するための手段】
【００１０】
撮影レンズ光学系と絞りと撮像素子を有し、前記撮像素子が画像信号を取得することで撮影画像データを取得する撮像装置において、第１記憶手段と、第１計算手段と、補正手段と、第２記憶手段と、制御手段とを有し、前記第１記憶手段は、撮影画像データの信号値のむらを補正するための補正項を、撮影条件に対応する補間計算に適するパラメータ及び撮影条件に対応し記憶に適するパラメータから前記制御手段によって計算される補間計算に適するパラメータに対応させて記憶し、前記第２記憶手段は、撮影条件に対応する記憶に適する複数のパラメータを記憶し、前記制御手段は、実際に撮影した際の撮影条件に対応する記憶に適する複数のパラメータから、補間計算に適する複数のパラメータの一部を計算し、前記第１計算手段は、前記第１記憶手段に記憶されている補正項のうち、前記制御手段が計算したものを含め、撮影画像データを取得した際の前記撮影条件に対応する、補間計算に適する複数のパラメータと、近い補間計算に適する複数のパラメータに対応する補正項を用いて撮影画像データの補正項を補間計算し、前記補正手段は、前記第１計算手段が計算した撮影画像データの補正項を用いて、撮影画像データの信号値のむらを補正することを特徴とする撮像装置を提供する。
【００１１】
撮影レンズ光学系と絞りと撮像素子を有し、前記撮像素子が画像信号を取得することで撮影画像データを取得する撮像装置において、第１記憶手段と、第２記憶手段と、制御手段と、第１計算手段と、補正手段とを有し、前記第１記憶手段は、撮影画像データの信号値のむらを補正するための補正項を、撮影条件に対応する補間計算に適するパラメータ及び撮影条件に対応し記憶に適するパラメータから前記制御手段によって計算される補間計算に適するパラメータに対応させて記憶し、前記第２記憶手段は、撮影条件の光線角度、撮影レンズの種類、ズームポジション、合焦位置、絞り径に関するパラメータ、コンバータの有無及び種類、フィルタの有無及び種類、色収差、像面湾曲、歪曲収差、レンズシフト方式手振れ補正レンズのシフト量、センサシフト方式手振れ補正センサのシフト量、ティルト・シフトレンズのティルト・シフト量、ソフトフォーカスレンズのソフト量、光源の種類、撮影レンズの透過率、撮影レンズのコーティング、センサの温度、露光時間のうち、少なくとも２つ以上の項目に対応し記憶に適する複数のパラメータを記憶し、前記制御手段は、実際に撮影した際の撮影条件の光線角度、撮影レンズの種類、ズームポジション、合焦位置、絞り径に関するパラメータ、コンバータの有無及び種類、フィルタの有無及び種類、色収差、像面湾曲、歪曲収差、レンズシフト方式手振れ補正レンズのシフト量、センサシフト方式手振れ補正センサのシフト量、ティルト・シフトレンズのティルト・シフト量、ソフトフォーカスレンズのソフト量、光源の種類、撮影レンズの透過率、撮影レンズのコーティング、センサの温度、露光時間のうち、少なくとも２つ以上の項目に対応し記憶に適する複数のパラメータから、補間計算に適する複数のパラメータの一部を計算し、前記第１計算手段は、前記第１記憶手段に記憶されている補正項のうち、前記制御手段が計算したものを含め、撮影画像データを取得した際の前記撮影条件に対応する、補間計算に適する複数のパラメータと、近い補間計算に適する複数のパラメータに対応する補正項を用いて撮影画像データの補正項を補間計算し、前記補正手段は、前記第１計算手段が計算した撮影画像データの補正項を用いて、撮影画像データの信号値のむらを補正することを特徴とする撮像装置を提供する。
【００１３】
前記第２記憶手段は前記撮影条件に対応する絞り中心光線角及び絞り周辺光線角をあらかじめ記憶し、前記第１記憶手段は、補正項を光束中心光線角と絞り径に関するパラメータとに対応させて記憶し、前記制御手段は、実際に撮影した際の絞り中心光線角及び絞り周辺光線角と、絞り径に関するパラメータから、光束中心光線角を計算し、前記第１計算手段は、前記第１記憶手段に記憶されている補正項のうち、撮影画像データを取得した際の前記撮影条件に対応する、絞り径に関するパラメータ及び前記制御手段が計算した光束中心光線角と近い絞り径に関するパラメータ及び光束中心光線角に対応する補正項を用いて撮影画像データの補正項を補間計算することを特徴とする請求項１又は請求項２に記載の撮像装置を提供する。
【００１４】
第２計算手段を有し、
前記第２計算手段は、基準となる被写体を撮影することで取得した調整画像データから、撮影画像データの信号値の比を補正する為の補正項を計算することを特徴とする請求項１乃至請求項３のいずれかに記載の撮像装置を提供する。
【００１５】
前記第２計算手段は、基準となる被写体を撮影することで取得した調整画像データを複数のブロックに分割し、ブロック毎のゲインを計算し、前記ブロック毎のゲインの集合である補正項を予め計算し、前記第１記憶手段は、前記第２計算手段が計算したブロック毎のゲインの集合である補正項を、調整画像データを取得した際の前記撮影条件に対応する、補間計算に適するパラメータ、及び前記撮影条件に対応する記憶に適する複数のパラメータから前記制御手段によって計算される補間計算に適するパラメータに対応させて記憶することを特徴とする請求項４に記載の撮像装置を提供する。
【００１６】
前記基準となる被写体は、輝度及び色が均一な面であることを特徴とする請求項４又は請求項５に記載の撮像装置を提供する。
【００１７】
前記第１計算手段は、撮像素子の特性に起因する撮像面の受光特性の非均一性についての補正項を計算し、前記補正手段は、前記第１計算手段が算出した撮像素子の特性に起因する撮像面の受光特性の非均一性についての補正項を用いて補正を行うことを特徴とする請求項１乃至請求項６のいずれか一項に記載の撮像装置を提供する。
【００１８】
装着するレンズ光学系の交換が可能な撮像装置であり、前記第１記憶手段が前記撮像装置内に配置されていることを特徴とする請求項１乃至請求項７のいずれか一項に記載の撮像装置を提供する。
【００１９】
装着するレンズ光学系の交換が可能な撮像装置であり、前記第１記憶手段が装着するレンズ内に配置されていることを特徴とする請求項１乃至請求項７のいずれか一項に記載の撮像装置を提供する。
【発明の効果】
【００２０】
本発明によれば、必要最低限の調整工程と必要最低限のメモリ容量で、画像データの撮影条件に応じた最適なシェーディング補正を行い、画質を向上させることができる。
【図面の簡単な説明】
【００２１】
【図１】本発明にかかる画像処理システムの一例である撮像装置の概略構成を示すブロック図
【図２】本発明の実施例における調整工程のフローチャート
【図３】本発明の実施例における補正項調整工程のフローチャート
【図４】絞り中心光線角の概念を示す概念図
【図５】上絞り周辺光線角と下絞り周辺光線角を示す概念図
【図６】光束中心光線角を示す概念図
【図７】補正項記憶装置に記憶される、絞り中心光線角か、射出瞳か、光束中心光線角と絞り径に対応させた補正項を示す図
【図８】実際に撮影した画像データに用いる補正項を計算する際に読み出す４つの補正項の選出方法を示す概念図
【図９】画像データをブロック毎に分割する概念図
【図１０】実際に撮影した画像データに用いる補正項から、撮影画像データの各画素に与えるべきゲインを計算する方法を示す概念図
【発明を実施するための形態】
【００２２】
図１は本発明にかかる画像処理システムの一例である撮像装置の概略構成を示すブロック図である。
【００２３】
図１における１０１は光学系であり、例えば光学系の交換が可能なカメラに装着する交換レンズの光学系や、デジタルカメラと一体となった光学系が考えられる。
【００２４】
１０２は絞りであり、絞り制御１１４によって駆動を制御されている。
【００２５】
１０１ａはズーム時に移動するズームレンズ、１０１ｂはフォーカス時に移動するフォーカスレンズであり、１１２のズーム制御部、１１３のフォーカス制御部はそれぞれズーム時に移動するレンズ１０１ａとフォーカス時に移動するレンズ１０１ｂを制御している。ただし、１０１ａのズームレンズ及び１１２のズーム制御部は、例えば光学系の交換が可能なカメラにおいて単焦点のレンズを装着した場合や、カメラと一体となった光学系が単焦点であった場合には構成に含まない。
【００２６】
１１１はＣＰＵであり、ズーム制御部１１２、フォーカス制御部１１３、絞り制御部１１４はかかるＣＰＵ１１１の制御下で、各部の駆動を行う。
【００２７】
１１５はレンズ制御部である。光学系１０１が光学系の交換が可能なカメラに装着する交換レンズの光学系であった場合には、レンズ制御部１１５は装着したレンズのレンズＩＤ、撮影時の焦点距離、合焦距離、絞り径等の撮影条件を読み出し、ＣＰＵへと送る。レンズＩＤとは、光学系の交換が可能なカメラに装着可能な交換レンズを識別するためのＩＤであり、かかるレンズＩＤによって装着された交換レンズが予めカメラに登録されたレンズのうち、どのレンズなのかを光線角記憶装置２０１で参照することが可能となる。また、光学系１０１がデジタルカメラと一体になった光学系であった場合には、撮影時の焦点距離、合焦距離、絞り径等の撮影条件をＣＰＵ１１１が読み出す。
【００２８】
１０３はフィルタである。かかるフィルタ１０３は例えば、赤外線等の撮像素子にとって不要な波長の光線を反射もしくは吸収するものやローパスフィルタ等が考えられる。かかるフィルタ１０３の透過率は光線入射角度によって変化する。
【００２９】
１０４は撮像素子であり、光学系１０１とフィルタ１０３を通して入射した光を信号電荷に変換するＣＣＤである。
【００３０】
１０５はＣＤＳ回路である。かかるＣＤＳとはＣｏｒｒｅｌａｔｅｄ  Ｄｏｕｂｌｅ  Ｓａｍｐｌｉｎｇの略であり、相関二重サンプリングを示す。かかる相関二重サンプリングとは、ＣＣＤの内部で走査転送する際に生じるリセットノイズを、信号のフィードスルー部分の電圧とデータ部分の電圧の差分を検出し、この差分をキャンセルすることでリセットノイズを除去し、正確な信号レベルを計算するものである。
【００３１】
１０６は可変電気アンプであり、信号電荷の増幅を行う。
【００３２】
１０７はＡＤ変換機であり、撮像素子１０４から出力された信号電荷はＣＤＳ回路１０５、可変電気アンプ１０６を通り、ＡＤ変換器１０７でアナログ信号からデジタル信号の画像データへと変換される。
【００３３】
１０８は画像処理部であり、かかる画像処理部１０８は撮影された画像データに各種画像処理を施す。また、かかる画像処理部１０８内は補正項調整計算回路１０８ａ及び補正回路１０８ｂを有している。
【００３４】
１０８ａは補正項調整計算回路であり、後述の光線角記憶装置２０１と補正項記憶装置２０２からの情報と、レンズ制御部１１５からの撮影条件とから補正項を計算する。
【００３５】
１０８ｂは補正回路であり、補正項調整計算回路１０８ａにより計算された補正項から、画像データ全体の各画素に与えるべきゲインを計算し、計算されたゲインをそれぞれに画素の信号値に乗除算することでシェーディング補正を行う。
【００３６】
２０１は光線角記憶装置であり、不揮発性メモリの形でカメラ内部、もしくは各々レンズ内部に格納されており、予め想定されるレンズ毎にズーム位置、フォーカス位置等に対応する絞り中心光線角、もしくは射出瞳位置が記憶されている。
【００３７】
１０９は表示装置であり、たとえば、液晶や有機ＥＬなどを用いることができる。
【００３８】
１１０は記憶装置撮影画像を記憶するためのメディアである。外部記録装置１１０としてはたとえば、ＳＤメモリカード等の記録媒体を用いることができる。
【００３９】
図４は絞り中心光線角の概念を示す概念図である。
【００４０】
絞り中心光線角とは、図４に示すような、絞り中心を通り撮像素子の最大像高部分へ入射する光線の光線入射角度である。
【００４１】
前述の補正項調整計算回路１０８ａにおいて、補正項を計算する際には、レンズ交換が可能なカメラであれば、かかる光線角記憶装置２０１から、撮影時にカメラに装着されている交換レンズ、及び装着されている交換レンズの撮影時のズーム位置やフォーカス位置等に対応する絞り中心光線角もしくは射出瞳位置が読み出され、撮影時の絞り中心光線角もしくは射出瞳位置の情報を用いて補正項の補間計算を行い、実際に撮影した画像データに用いる補正項を計算する。同様に、光学系が一体となったカメラであれば、かかる光線角記憶装置２０１から撮影時の光学系のズーム位置やフォーカス位置に対応する絞り中心光線角もしくは射出瞳位置が読み出され、撮影時の絞り中心光線角もしくは射出瞳位置の情報を用いて補正項の補間計算を行い、実際に撮影した画像データに用いる補正項を計算する。
【００４２】
図９は画像データをブロック毎に分割する概念図である。
【００４３】
３０１は補正項計算回路である。補正項計算回路３０１はレンズ、又はズーム位置、フォーカス位置と、絞り径を変更して撮影することで予め取得した一定光源の画像データを、図９のような形でむらを補正するのに十分な数の複数のブロックに分割し、ブロック毎に信号値の平均値を計算し、得られる信号値の色信号比が全画面で均一になるよう、ブロック毎に与えるべきゲインを、ブロック毎での信号値の平均値の逆数として求める。
【００４４】
図７は補正項記憶装置に記憶される、絞り中心光線角か、射出瞳か、光束中心光線角と絞り径に対応させた補正項を示す図であり、図７（Ａ）は第１実施例の概念図である。
【００４５】
２０２は補正項記憶装置である。補正項記憶装置２０２は補正項計算回路３０１が計算したブロック毎のゲインの集合である、補正項を記憶する。かかるブロック毎のゲインの集合である、補正項は、補正項記憶装置２０２に、例えば図７（Ａ）のような形で記憶される。
【００４６】
例えば、レンズ甲をレンズ交換可能なカメラに装着し、一定光源を撮影した場合、カメラは光線角記憶装置２０１からレンズ甲の撮影時の絞り中心光線角ｍを読み出し、レンズ制御部は撮影時のレンズ甲の絞り径をｎと読み出した場合、カメラ内補正項計算回路３０１は絞り中心光線角ｍであり、絞り径ｎである撮影画像データに対応した、ブロック毎のゲインの集合である補正項を計算し、補正項記憶装置２０２に記憶する。
【００４７】
次に、本発明における撮像装置の行う画像データ補正処理について説明する。かかる画像データ補正処理は、大きく分けて個体調整の工程と補正項の調整計算の工程と補正の工程の３つの工程から成る。以下に３つの工程を順に説明する。
【００４８】
第１の実施形態における個体調整の工程について説明する。
【００４９】
調整工程とは、カメラの個体毎に最適な補正項を記録させる工程であり、図２はかかる調整工程のフローチャートである。
【００５０】
調整工程においてはまず、レンズの交換若しくは、ズーム位置・合焦距離の変更を行う。（ステップ＃１）
【００５１】
本実施例においては、かかるステップ＃１で交換するレンズは予め想定されている。つまり、カメラ内に予め、レンズＩＤ毎にズーム位置、フォーカス位置に対応する絞り中心光線角、もしくは射出瞳位置が記憶されているので、ＣＰＵ１１１はその情報を光線角記憶装置２０１に参照し、装着されたレンズのズーム位置・合焦距離毎の絞り中心光線角、もしくは射出瞳位置といった情報を得ることができる。
【００５２】
本実施例のステップ＃１においては例えば、予め想定されたレンズのうち、絞り中心光線角が小さいもの、もしくは像面と射出瞳の距離が長いものから順にカメラに装着し、撮影を行って情報を取得する。
【００５３】
次に、装着したレンズの絞り径を変更する。（ステップ＃２）
【００５４】
本実施例のステップ＃２においては例えば、絞り状態をまずＦ８．０に設定し、ステップ＃３の撮影によりデータを取得し、ステップ＃４で各ブロックのゲインを計算したら、次はＦ２．８、その次はＦ２．０、最後にＦ１．４と４段階で絞りを開放していき、それぞれの絞り径でステップ＃３とステップ＃４を繰り返すことで、装着したレンズについて４種類の絞りパターンにおけるデータを取得する。
【００５５】
ステップ＃２で絞り径を変更した後に、ステップ＃３において一定光源を撮影し、画像データを取得する。本実施例においては、無限遠合焦状態で撮影を行う。そして、補正項計算装置３０１がかかる画像データを、図９に示すような形で、むらを補正するのに十分な数の複数のブロックに分割し、ブロック毎に信号値の平均値を計算し、得られる信号値の色信号比が全画面で均一になるよう、ブロック毎に与えるべきゲインを、ブロック毎での信号値の平均値の逆数の比率として求め、計算されたブロック毎のゲインの集合である補正項は、図７（Ａ）のようにそれぞれ絞り中心光線角と絞り径に対応した補正項として、補正項記憶装置２０２に記憶される。
【００５６】
また、前記補正項により、レンズなどの光学系の特性による撮像面へ入射する光量の非均一性を含めて補正する場合には、前記ゲインはブロック毎での信号値の平均値の、画面中心ブロックでの信号値の平均値に対する比率の逆数として計算する。かかる補正項により、撮像面の受光特性の非均一性のみを補正する場合には、前記ゲインはブロック毎での信号値の平均値の、画面中心ブロックでの信号値の平均値に対する比率の逆数から、調整工程に於いて使用される光学系から撮像面へ入射する光量の、当該ブロック位置の撮像素子中心の対する比の逆数を除算したもの、として計算することも考えられる。
【００５７】
記憶が完了すると、次に補正項計算装置３０１は十分多くの絞り径で補正項を取得したか否かを判断する。本実施例において十分多くの絞り径とは、想定する４種類の絞りパターン全てである。（ステップ＃５）
【００５８】
本実施例においては、前述のとおりＦ８．０、Ｆ２．８、Ｆ２．０、Ｆ１．４の順に４種類の絞りパターンを想定し、Ｆ８．０から撮影（ステップ＃３）、各ブロックのゲイン計算（ステップ＃４）を行っている。したがって、あるレンズＡにおいて絞りＦ８．０で撮影（ステップ＃３）、各ブロックのゲイン計算（ステップ＃４）を行うと、補正項計算装置３０１はレンズＡにおいてＦ８．０の時の補正項しか取得していないため、まだ４種類全ての絞り径で補正項を取得していない、と判断し、まだ、十分多くの絞り径で補正項を取得していない、と判断する。十分多くの絞り径で補正項を取得していない場合には、ステップ＃２に戻り、絞り径を変更する。例えば、Ｆ８．０の時の補正項しか取得していない場合には、絞り径はＦ８．０の次に絞り径の大きいＦ２．８に設定され、Ｆ８．０、Ｆ２．８の時の補正項を取得している場合には次に絞り径の大きいＦ２．０に設定され、Ｆ８．０、Ｆ２．８、Ｆ２．０の時の補正項を取得している場合には次に絞り径の大きいＦ１．４に設定される。
【００５９】
本実施例では補正項を得る絞り状態の範囲をＦ８．０〜Ｆ１．４とし、その分割数を４つに設定し、Ｆ８．０、Ｆ２．８、Ｆ２．０、Ｆ１．４の順にデータ取得を行うため、レンズＡにおいてＦ１．４の時の補正項を取得した場合には、４種類の絞りパターンでデータを取得しているとわかるため、レンズＡにおいて想定している全ての絞りパターンでデータを取得していると判断し、ステップ＃６に進む。
【００６０】
ステップ＃６では補正項計算装置３０１は十分多くの絞り中心光線角で補正項を取得したか否かを判断する。第１実施例においては、絞り中心光線角を、小さいもの、標準のもの、大きいものの３種類に設定している。本実施例において十分多くの絞り中心光線角とは、想定する３種類のパターン全てである。そして、絞り中心光線角の小さいレンズから、絞り中心光線角が標準的なレンズ、絞り中心光線角が大きいレンズ、と順に、絞り中心光線角が小さいものから撮影（ステップ＃３）、各ブロックのゲイン計算（ステップ＃４）を行っている。したがって、絞り中心光線角が小さいレンズＡにおいてのみ、Ｆ８．０からＦ２．８、Ｆ２．０、Ｆ１．４と４段階で絞りを開放し、４種類の絞りパターンでデータを取得した場合、（ステップ＃５）補正項計算装置３０１がレンズＡの絞り中心光線角の補正項しか取得していないと判断し、まだ、十分多くの絞り中心光線角で補正項を取得していない、と判断する。
【００６１】
十分多くの絞り中心光線角で補正項を取得していない場合には、ステップ＃１に戻り、レンズを交換して、絞り中心光線角を変更する。例えば、本実施例では絞り中心光線角の小さいレンズＡから、絞り中心光線角が標準的なレンズＢに取り換える。（ステップ＃１）また、レンズＢにおいてステップ＃２、ステップ＃３、ステップ＃４を繰り返し、レンズＡ同様、レンズＢにおいても４種類全ての絞りパターンでデータを取得した場合には、ステップ＃５からステップ＃６に進み、絞り中心光線角が標準的なレンズＢから絞り中心光線角が大きいレンズＣに取り換える。（ステップ＃１）
【００６２】
対して、レンズＡ、レンズＢ、レンズＣの３つでデータを取得した場合には、本実施例において、絞り中心光線角は、絞り中心光線角の小さいレンズ、絞り中心光線角が標準的なレンズ、絞り中心光線角が大きいレンズの３つのパターンに設定しているため、十分多くの絞り中心光線角で補正項を取得したとして、調整工程を終了する。
【００６３】
次に、第１の実施形態における補正項調整計算の工程について説明する。
【００６４】
補正項調整計算の工程とは、撮影条件に応じて補正項を最適な形に調整し、実際に撮影した画像データに用いる補正項を計算する工程であり、図３（Ａ）は実施例１の補正項調整工程のフローチャートである。
【００６５】
調整工程終了後、補正を施される画像データを撮影する。すると、ステップ＃１０ではズーム制御部１１２、フォーカス制御部１１３、絞り制御部１１４が、それぞれ撮影時の焦点距離、合焦距離、絞り径を読み出し、ステップ＃１１ではレンズ制御部１１５がレンズＩＤを読み出す。
【００６６】
光学系の交換が可能なカメラに装着した交換レンズが、予め想定されるレンズであった場合には、装着した交換レンズからレンズＩＤを取得する。対して、装着した交換レンズが予め想定されたレンズではなかった場合など、レンズＩＤの取得に失敗したときは、予め設定した基準レンズのＩＤが入力される。（ステップ＃１２）基準レンズとは、例えば、本実施例においては予め、絞り中心光線角が標準的なレンズが設定される。
【００６７】
光線角記憶装置２０１は前述のとおり、不揮発性メモリの形でカメラ内部、もしくは各々レンズ内部に配置されており、予め想定されるレンズ毎にズーム位置、フォーカス位置に対応する絞り中心光線角、もしくは射出瞳位置を記憶している。ステップ＃１３では光線角記憶装置２０１に記憶されている、撮影時のレンズＩＤ、ズーム位置、合焦位置に対応する絞り中心光線角、若しくは射出瞳位置を読み出す。
【００６８】
図８は実際に撮影した画像データに用いる補正項を計算する際に読み出す４つの補正項の選出方法を示す概念図であり、図８（Ａ）は実施例１の概念図である。
【００６９】
絞り中心光線角若しくは射出瞳位置を縦軸に、撮影時の絞り径の逆数を横軸にとる図８（Ａ）のような二次元平面を考え、その平面上に記憶手段２０２に記憶されている複数の補正項に対応する絞り中心光線角若しくは射出瞳位置、及び撮影時の絞り径の逆数をプロットして、隣り合う点を破線で結び、破線のようなブロックを考える。ステップ＃１４では前記平面上に撮影時の前記絞り中心光線角若しくは射出瞳位置、及び撮影時の絞り径をプロットし、その点を含むような前記ブロックを構成する４つの点に対応する記憶手段２０２に記憶されている４つの補正項を読み出す。
【００７０】
ステップ＃１５では前記４つの補正項に対して、撮影時の前記絞り中心光線角もしくは射出瞳位置、及び撮影時の絞り径の逆数を重みパラメータとして、各ブロックのゲイン毎に補間計算を行い、実際に撮影した画像データに用いる補正項を計算する。例えば図８（Ａ）に示すように、前記記憶手段２０２に記憶されている補正項の内、F値が小さい順から並べてｊ番目の絞り径Ｆ（ｊ）と、数値が小さい順から並べてｉ番目の絞り中心光線角若しくは射出絞り位置θ（ｉ）に対応する補正項をＣ（ｉ,ｊ）とすると、撮影時の絞り中心光線角若しくは射出絞り位置がθ、Ｆ値がＦならば、最終的な補正項Ｃは、以下の数１に従って計算される。
【００７１】
（数１）
0005848027.tif 000002
【００７２】
次に、第１の実施形態における補正の工程について説明する。
【００７３】
補正の工程とは、補正項の調整計算の工程で計算された、実際に撮影した画像データに用いる補正項を各画素に最適な形に調整し、撮影画像データの各画素に与えるべきゲインを計算し、各画素の値に乗算する工程であり、かかる補正には、計算した補正項によって３パターンの方法がある。
【００７４】
まず、第１のパターンについて説明する。
【００７５】
第１のパターンにおける、補正項の調整計算の工程のステップ＃１５で計算された、実際に撮影した画像データに用いる補正項は、撮像面の受光特性の非均一性に加え、レンズなどの光学系の特性による撮像面へ入射する光量の非均一性を含めて補正する場合を想定して計算された補正項である。第１のパターンでは、かかる実際に撮影した画像データに用いる補正項から、撮影画像データの各画素に与えるべきゲインを計算する。
【００７６】
図１０は、実際に撮影した画像データに用いる補正項から、撮影画像データの各画素に与えるべきゲインを計算する方法を示す概念図である。
【００７７】
撮影画像データの各画素に与えるべきゲインはゲインを計算する画素の座標を中心に置く４つの前記ブロックに対応するゲインを、座標を重みパラメータとして補間計算することで得られる。例えば図１０に示すように、画像の左からＩ番目、上からＪ番目の前記ブロック（Ｉ，Ｊ）とし、その中心の座標を（Ｘ（Ｉ），Ｙ（Ｊ））、そのブロックに対応する前記ゲイン量をＧ（Ｉ，Ｊ）とすると、ブロック（Ｉ，Ｊ）内でその中心より右下にある画素の座標が（ｘ，ｙ）ならば、撮影画像データの画素（ｘ，ｙ）に与えるべきゲインｇ（ｘ，ｙ）は、以下の数２に従って計算される。
【００７８】
（数２）
0005848027.tif 000003
【００７９】
第１のパターンでは、計算された撮影画像データの各画素に与えるべきゲインをそれぞれの画素の値に乗算し、補正の工程を終了する。
【００８０】
次に、第２のパターンについて説明する。
【００８１】
第２のパターンにおける補正項の調整計算の工程のステップ＃１５で計算された、実際に撮影した画像データに用いる補正項は、撮像面の受光特性の非均一性のみを補正する場合を想定して計算された補正項である。第２のパターンにおいては、かかる補正項から、撮影画像データの各画素に与えるべきゲインを計算し、各画素の値に乗算し、補正の工程を終了する。かかる処理は第１のパターンと同じであるため、説明を省略する。
【００８２】
次に、第３のパターンについて説明する。
【００８３】
第３のパターンにおける補正項の調整計算の工程のステップ＃１５で計算された、実際に撮影した画像データに用いる補正項は、第２のパターン同様、撮像面の受光特性の非均一性のみを補正する場合を想定して計算された補正項である。第３のパターンにおいては、まず、かかる補正項から、撮影画像データの各画素に与えるべきゲインを計算し、次に、撮像面へ入射する光量の非均一性によるシェーディングを補正するための補正項を計算し、これも撮影画像データの各画素に与えるべきゲインの形に変換する。そして両者を掛け合わせて計算されたゲインを各画素の値に乗算し、補正の工程を終了する。かかる処理は第１のパターンと同じであるため、説明を省略する。
【００８４】
そして、第１パターン、第２パターン、第３パターンのいずれかにおいて補正の工程が終了すると、補正された撮影画像データは、画像処理部１０８により、ホワイトバランス補正、ノイズ処理、ガンマ補正などを施され、表示装置１０９や記録装置１１０に出力される。
【００８５】
次に、第２実施例における画像データ補正について説明する。第２実施例においても、画像データ補正は、大きく分けて個体調整の工程と補正項の調整計算の工程と補正の工程の３つの工程から成るが、補正の工程に関しては実施例１と全く同様の処理であるため、説明を省略する。
【００８６】
次に、第２の実施形態における個体調整の工程について説明する。
【００８７】
前述のとおり、調整工程とは、カメラの個体毎に最適な補正項を記録させる工程であり、図２はかかる調整工程のフローチャートである。
【００８８】
調整工程においてはまず、レンズの交換若しくは、ズーム位置・合焦距離の変更を行う。（ステップ＃１）
【００８９】
また、第２実施例においては、前述のとおり、かかるステップ＃１で交換するレンズは予め想定されている。つまり、カメラ内に予め、レンズＩＤ毎にズーム位置、フォーカス位置に対応する絞り中心光線角、もしくは射出瞳位置が記憶されているので、カメラはその情報を光線角記憶装置２０１に参照し、装着されたレンズのズーム位置・合焦距離毎の絞り中心光線角、もしくは射出瞳位置といった情報を得ることができる。
【００９０】
但し、実施例２では絞り中心光線角ではなく、光束中心光線角と絞り径に対応する補正項のデータが記憶されたカメラを用いる。
【００９１】
図６は光束中心光線角を示す概念図である。
【００９２】
光束中心光線角は、図６に示すように、各絞り状態に於いて撮像面の最大像高部分へ入射する光束の中心光線入射角度を示す。
【００９３】
したがって、第２実施例のステップ＃１においては例えば、予め想定されたレンズのうち、光束中心光線角が小さいものから順にカメラに装着し、撮影を行って情報を取得する。
【００９４】
次に、装着したレンズの絞り径を変更する。（ステップ＃２）
【００９５】
第２実施例のステップ＃２においては例えば、絞り状態をまずＦ８．０に設定し、ステップ＃３の撮影によりデータを取得し、ステップ＃４で各ブロックのゲインを計算したら、次はＦ２．８、その次はＦ２．０、最後にＦ１．４と４段階で絞りを開放していき、それぞれの絞り径でステップ＃３とステップ＃４を繰り返すことで、４種類の絞りパターンにおけるデータを取得している。
【００９６】
図７補正項記憶装置に記憶される、絞り中心光線角か、射出瞳か、光束中心光線角と絞り径に対応させた補正項を示す図であり、図７（Ｂ）は第２実施例の概念図である。
【００９７】
次に、ステップ＃３において一定光源を撮影し、画像データを取得する。そして、補正項計算装置３０１がかかる画像データを、図９のような形でのむらを補正するのに十分な数の複数のブロックに分割し、ブロック毎に信号値の平均値を計算し、得られる信号値の色信号比が全画面で均一になるよう、ブロック毎に与えるべきゲインを、ブロック毎での信号値の平均値の逆数の比率として求め、計算されたゲインの集合は、補正項として、図７（Ｂ）のようにそれぞれ光束中心光線角と絞り径に対応した形で補正項記憶装置２０２に記憶される。（ステップ＃４）
【００９８】
また、前記補正項により、レンズなどの光学系の特性による撮像面へ入射する光量の非均一性を含めて補正する場合には、前記ゲインはブロック毎での信号値の平均値の、画面中心ブロックでの信号値の平均値に対する比率の逆数として計算する。かかる補正項により、撮像面の受光特性の非均一性のみを補正する場合には、前記ゲインはブロック毎での信号値の平均値の、画面中心ブロックでの信号値の平均値に対する比率の逆数から、調整工程に於いて使用される光学系から撮像面へ入射する光量の、当該ブロック位置の撮像素子中心の対する比の逆数を除算したもの、として計算することも考えられる。
【００９９】
記憶が完了すると、次に補正項計算装置３０１は十分多くの絞り径で各ブロックのゲインの集合である補正項を取得したか否かを判断する。（ステップ＃５）
【０１００】
第２実施例においては、前述のとおりＦ８．０、Ｆ２．８、Ｆ２．０、Ｆ１．４の順に４種類の絞りパターンで、Ｆ８．０から撮影（ステップ＃３）、各ブロックのゲイン計算（ステップ＃４）を行っている。したがって、あるレンズＡにおいて絞りＦ８．０で撮影（ステップ＃３）、各ブロックのゲイン計算（ステップ＃４）を行うと、補正項計算装置３０１はレンズＡにおいてＦ８．０の時の補正項しか取得していないと判断し、まだ十分多くの絞り径で補正項を取得していない、と判断する。第２実施例において十分多くの絞り径とは、想定する４種類の絞りパターン全てである。十分多くの絞り径で補正項を取得していない場合には、ステップ＃２に戻り、絞り径を変更する。例えば、Ｆ８．０の時の補正項しか取得していない場合には、絞り径はＦ８．０の次に絞り径の大きいＦ２．８に設定され、Ｆ８．０、Ｆ２．８の時の補正項を取得している場合には次に絞り径の大きいＦ２．０に設定され、Ｆ８．０、Ｆ２．８、Ｆ２．０の時の補正項を取得している場合には次に絞り径の大きいＦ１．４に設定する。
【０１０１】
第２実施例では補正項を得る絞り状態の範囲をＦ８．０〜Ｆ１．４とし、その分割数を４つと設定し、Ｆ８．０、Ｆ２．８、Ｆ２．０、Ｆ１．４の順にデータ取得を行うため、レンズＡにおいてＦ１．４の時の補正項を取得した場合には、４種類の絞りパターンでデータを取得しているとわかるため、レンズＡにおいて全ての絞りパターンでデータを取得していると判断し、十分多くの絞り径で補正項を取得したとしてステップ＃６に進む。
【０１０２】
ステップ＃６では補正項計算装置３０１は十分多くの光束中心光線角で補正項を取得したか否かを判断する。第２実施例においては、光束中心光線角を小さいもの、標準のもの、大きいものの３種類に設定している。第２実施例において十分多くの光束中心光線角とは、想定する３種類のパターン全てである。そして、光束中心光線角の小さい交換レンズから、光束中心光線角が標準的なレンズ、光束中心光線角が大きいレンズ、と順に、光束中心光線角が小さいものから撮影（ステップ＃３）、各ブロックのゲイン計算（ステップ＃４）を行っている。したがって、光束中心光線角が小さいレンズＡにおいてのみ、Ｆ８．０、Ｆ２．８、Ｆ２．０、Ｆ１．４と４段階で絞りを開放し、４種類の絞りパターンで補正項を取得した場合、（ステップ＃５）補正項計算装置３０１がレンズＡの光束中心光線角の補正項しか取得していないと判断し、まだ、十分多くの光束中心光線角で補正項を取得していない、と判断する。
【０１０３】
十分多くの光束中心光線角で補正項を取得していない場合には、ステップ＃１に戻り、レンズを交換して、光束中心光線角を変更する。例えば、上記の例においては、光束中心光線角の小さいレンズＡから、光束中心光線角が標準的なレンズＢに取り換える。（ステップ＃１）また、レンズＢにおいてステップ＃２、ステップ＃３、ステップ＃４を繰り返し、レンズＡ同様、レンズＢにおいても４種類全ての絞りパターンで補正項を取得した場合には、ステップ＃５からステップ＃６に進み、光束中心光線角が標準的なレンズＢから光束中心光線角が大きいレンズＣに取り換える。（ステップ＃１）
【０１０４】
対して、レンズＡ、レンズＢ、レンズＣとでデータを取得した場合には、第２実施例においては、光束中心光線角の小さいレンズ、光束中心光線角が標準的なレンズ、光束中心光線角が大きいレンズと、光束中心光線角を３つのパターンに設定しているため、３つのパターン全てで補正項を取得したとして、補正項計算装置３０１は十分多くの光束中心光線角で補正項を取得したと判断し、調整工程を終了する。
【０１０５】
次に、第２の実施形態における補正項調整計算の工程について説明する。
【０１０６】
補正項調整計算の工程とは、撮影条件に応じて補正項を最適な形に調整し、実際に撮影した画像データに用いる補正項を計算する工程であり、図３（Ｂ）は実施例２の補正項調整工程のフローチャートである。
【０１０７】
調整工程終了後、補正を施される画像データを撮影する。すると、ステップ＃１０ではズーム制御部１１２、フォーカス制御部１１３、絞り制御部１１４が、それぞれ撮影時の焦点距離、合焦距離、絞り径を読み出し、ステップ＃１１ではレンズ制御部１１５レンズＩＤを読み出す。
【０１０８】
光学系の交換が可能なカメラに装着した交換レンズが、予め想定される交換レンズであった場合には、カメラ内の光線角記憶装置２０１からレンズＩＤを取得する。対して、装着した交換レンズが予め想定された交換レンズではなかった場合など、レンズＩＤの取得に失敗したときは、予め設定した基準レンズのＩＤが入力される。（ステップ＃１２）例えば、第２実施例においては絞り中心光線角が標準的なレンズを基準レンズとして設定する。
【０１０９】
図５は上絞り周辺光線角と下絞り周辺光線角を示す概念図である。
【０１１０】
実施例２における光線角記憶装置２０１は、不揮発性メモリの形でカメラ内部、もしくは各々レンズ内部に格納されており、予め想定されるレンズ毎にズーム位置、フォーカス位置に対応する絞り中心光線角と、絞り開放時に撮像面の最大像高部分へ入射する光線入射角度の最大値と最小値（以下、絞り周辺光線角）が記憶されている。絞り周辺光線角には図５に示すような上絞り周辺光線角と、下絞り周辺光線角がある。上絞り周辺光線角は、絞り開放時に撮像素子の最大像高部分へ入射するもっとも上方の光線の光線入射角度である。ステップ＃１３では光線角記憶装置２０１に記憶されている、撮影時のレンズＩＤ、ズーム位置、合焦位置に対応する絞り中心光線角と、絞り周辺光線角を読み出す。
【０１１１】
ステップ＃１３−２では、ＣＰＵ１１１が、読み出した撮影時の前記絞り中心光線角θｐｕｐと上絞り周辺光線角θｕｐと下絞り周辺光線角θｄｗ、及び撮影時の絞りのＦ値Ｆ´から、光束中心光線角θｃｅｎを以下の数３にしたがって計算する。また、かかるステップ＃１３−２の必要について、以下に説明する。
（数３）
0005848027.tif 000004
【０１１２】
実施例２の調整工程において、補正項記憶装置２０２は、各レンズのデータを、絞り中心光線角とＦ値に対応する補正項としてではなく、光束中心光線角と絞り値に対応する補正項として記憶している。しかしながら、実施例２における光線角記憶装置２０１は、カメラ内部、もしくは各々レンズ内部に、予め想定されるレンズ毎にズーム位置、フォーカス位置に対応する絞り中心光線角を記憶している。
【０１１３】
つまり、調整工程で得た各レンズのデータが、光束中心光線角と絞り値に対応する補正項であり、一方、調整工程後に撮影した画像データが有する情報は絞り中心光線角と、絞り周辺光線角であるため、２つはこのままの形で対応させることができず、問題となる。
【０１１４】
そこで、撮影した画像データが有する情報である、光線角記憶装置２０１から読み出された、撮影時の絞り中心光線角と絞り周辺光線角及び撮影時の絞りのＦ値から、光束中心光線角を計算し、両者を対応できる形にする必要があるため、ステップ＃１３の光束中心光線角の計算が必要となる。
【０１１５】
図８は実際に撮影した画像データに用いる補正項を計算する際に読み出す４つの補正項の選出方法を示す概念図であり、図８（Ｂ）は実施例２の概念図である。
【０１１６】
絞り中心光線角と光束中心光線角の整合が完了したところで、光束中心光線角を縦軸に、撮影時の絞り径の逆数を横軸にとる図８（Ｂ）のような二次元平面を考え、その平面上に記憶手段２０２に記憶されている複数の補正項に対応する光束中心光線角及び撮影時の絞り径の逆数をプロットして、隣り合う点を破線で結び、破線のようなブロックを考える。ステップ＃１４では前記平面上に撮影時の光束中心光線角、及び撮影時の絞り径をプロットし、その点を含むような前記ブロックを構成する４つの点に対応する記憶手段２０２に記憶されている４つの補正項を読み出す。
【０１１７】
ステップ＃１５では前記４つの補正項に対して、撮影時の光束中心光線角、及び撮影時の絞り径の逆数を重みパラメータとして、ブロックのゲイン毎に補間計算を行い、実際に撮影した画像データに用いる補正項を計算する。例えば図８（Ｂ）に示すように、記憶手段２０２に記憶されている補正項の内、Ｆ値が小さい順から並べてｊ番目の絞り径Ｆ（ｊ）と、数値が小さい順から並べてｉ番目の光束中心光線角θ（ｉ）に対応する補正項をＣ（ｉ，ｊ）とすると、撮影時の光束中心光線角がθ、Ｆ値がＦならば、最終的な補正項Ｃは、以下の数４に従って計算される。
(数４）
0005848027.tif 000005
【０１１８】
次に、第２の実施形態における補正の工程であるが、前述のとおり、第１実施例と第２実施例における補正の工程は全く同様の処理であるため、説明を省略する。
【０１１９】
また、第１実施例ではレンズ交換可能なデジタルカメラを想定し、絞り中心光線角の小さいレンズ、絞り中心光線角が標準的なレンズ、絞り中心光線角が大きいレンズとレンズ交換をすることによってステップ＃１としたが、例えば光学系が一体となったカメラの場合にはズーム位置や合焦距離を変えることでステップ＃１とすることができる。更に、レンズ交換可能なデジタルカメラにおいても、レンズ一本においてズーム位置や合焦距離を変えることで絞り中心光線角を変化させ、ステップ＃１とする場合も同様である。
【０１２０】
また、第２実施例ではレンズ交換可能なデジタルカメラを想定し、光束中心光線角の小さいレンズ、光束中心光線角が標準的なレンズ、光束中心光線角が大きいレンズとレンズ交換をすることによってステップ＃１としたが、例えば光学系が一体となったカメラの場合にはズーム位置や合焦距離を変えることでステップ＃１とする。更に、レンズ交換可能なデジタルカメラにおいても、レンズ一本においてズーム位置や合焦距離を変えることで光束中心光線角を変化させ、ステップ＃１とする場合も同様である。
【０１２１】
また、第１、第２実施例では補正項を得る絞り状態の範囲をＦ８．０〜Ｆ１．４とし、その分割数を４つと設定したが、絞りの変化に伴うシェーディングの変化の程度に応じて、この範囲及び分割数は変更するべきものである。
【０１２２】
また、第１実施例では補正項を得る絞り中心光線角の分割数を３つと設定したが、絞り中心光線角の変化に伴うシェーディングの変化の程度に応じて、この分割数は変更するべきものである。
【０１２３】
また、第２実施例では補正項を得る光束中心光線角の分割数を３つと設定したが、光束中心光線角の変化に伴うシェーディングの変化の程度に応じて、この分割数は変更するべきものである。
【０１２４】
また、第１実施例では信号値のむらを補正するための補正項を、絞り中心光線角と絞り径に対応させて、補正項記憶装置３０１に記憶し、第２実施例では信号値のむらを補正するための補正項を、光束中心光線角と絞り径に対応させて、補正項記憶装置３０１に記憶しているが、信号値のむらを補正するための補正項は、光線角度、撮影レンズの種類、ズームポジション、合焦位置、絞り径に関するパラメータ、コンバータの有無及び種類、フィルタの有無及び種類、色収差、像面湾曲、歪曲収差、レンズシフト方式手振れ補正レンズのシフト量、センサシフト方式手振れ補正センサのシフト量、ティルト・シフトレンズのティルト・シフト量、ソフトフォーカスレンズのソフト量、光源の種類、撮影レンズの透過率、撮影レンズのコーティング、センサの温度、露光時間のうち、すくなくとも２つ以上の項目に対応させ、補正項記憶装置３０１に記憶する構成としてもよい。
【符号の説明】
【０１２５】
１０１ａ  ズームレンズ
１０１ｂ  フォーカスレンズ
１０２  絞り
１０３  フィルタ
１０４  撮像素子
１０５  ＣＤＳ
１０６  可変電気アンプ
１０７  ＡＤ変換機
１０８  画像処理部
１０８ａ  補正項調整計算回路
１０８ｂ  補正回路
１０９  表示装置
１１０  記憶装置
１１１  ＣＰＵ
１１２  ズーム制御部
１１３  フォーカス制御部
１１４  絞り制御部
１１５  レンズ制御部
２０１  光線角記憶装置
２０２  補正項記憶装置
３０１  補正項計算回路
【図１】
0005848027.tif 000006
【図２】
0005848027.tif 000007
【図３】
0005848027.tif 000008
【図４】
0005848027.tif 000009
【図５】
0005848027.tif 000010
【図６】
0005848027.tif 000011
【図７】
0005848027.tif 000012
【図８】
0005848027.tif 000013
【図９】
0005848027.tif 000014
【図１０】
0005848027.tif 000015